(57)【特許請求の範囲】
【請求項１】
けらば部分に袖瓦（４１）・・を葺設してなる切妻屋根の破風板（３０）に取り付けられ、前記袖瓦（４１）・・の垂れ部（４４）・・と前記破風板（３０）との間に生じる隙間（６１）・・を下方から見えないように覆い隠すとともに、前記袖瓦（４１）・・の垂れ部（４４）・・からの雨垂れを受けて軒樋（６２）へ導く樋部（６０）が形成された破風化粧材（５０）であって、前記破風板（３０）の外側面に被さるようにして配される基片（５１）と、この基片（５１）から外側方へ張り出して、前記袖瓦（４１）・・の垂れ部（４４）・・の下方に配される上側張出片（５２）と、この上側張出片（５２）の先端部分から上方へ立ち上がった立ち上がり片（５３）と、前記上側張出片（５２）に対して平行になるように、前記基片（５１）から外側方へ張り出した下側張出片（５４）とを備え、前記樋部（６０）は、前記基片（５１）の前記上側張出片（５２）よりも上方へ突出した上端部分（５１ａ）と、前記上側張出片（５２）と、前記立ち上がり片（５３）とによって構成されていることを特徴とする破風化粧材。
【請求項２】
前記上側張出片（５２）が前記下側張出片（５４）の雨よけとなるように、前記下側張出片（５４）の張出量が前記上側張出片（５２）の張出量よりも小とされている請求項１記載の破風化粧材。
【請求項３】
前記基片（５１）における前記上側張出片（５２）と下側張出片（５４）との間の中間部分に、前記上側張出片（５２）及び下側張出片（５４）に対して平行な複数の補強リブ（５５）・・が形成されている請求項１又は２記載の破風化粧材。
【請求項４】
前記基片（５１）の上端部分（５１ａ）が、前記袖瓦（４１）・・の垂れ部（４４）・・の内側において前記破風板（３０）の外側面にビス（５７）止めされている請求項１乃至３のいずれかに記載の破風化粧材。
【請求項５】
請求項１乃至４のいずれかに記載の破風化粧材（５０）を、破風板（３０）に取り付けたことを特徴とする切妻屋根のけらば構造。
【請求項６】
前記破風板（３０）に、前記破風化粧材（５０）の樋部（６０）から屋根内部への雨水の侵入を阻止する水返し部（３５）が設けられている請求項５記載の切妻屋根のけらば構造。
【請求項７】
前記破風板（３０）に、前記破風化粧材（５０）を係止する係止部（３８）が設けられている請求項５又は６記載の切妻屋根のけらば構造。
【発明の詳細な説明】
【技術分野】
【０００１】
この発明は、切妻屋根の破風板に取り付けられる破風化粧材及び切妻屋根のけらば構造に関する。
【背景技術】
【０００２】
建物の切妻屋根として、図８及び図９に示すように、けらば部分に袖瓦１・・を葺設した構造のものが広く知られている。各袖瓦１は、その本体部２の屋根傾斜方向に沿った外側端部から垂下した垂れ部３を備えている。そして、袖瓦１・・は、破風板４の上端部分を覆うようにして、軒側の袖瓦１の棟側端部へ棟側の袖瓦１の軒側端部を被せながら、屋根傾斜方向に沿って葺設されている。なお、図８において、５は母屋、６は野地板、７はアスファルトルーフィング、８は瓦桟、９は波型瓦、１０は野縁、１１は軒裏サイディング材を示している。
【０００３】
このような切妻屋根においては、袖瓦１・・の葺設の都合上、袖瓦１・・の垂れ部３・・と破風板４との間に隙間１２・・が必然的に生じていて、けらば部分を下方から見上げた場合、これら隙間１２・・が略三角形状に見えることになって、けらば部分の美観を損なっていた。また、屋根に降った雨水が袖瓦１・・の垂れ部３・・を伝って流れ落ちて、けらば部分の下方の地面に滴下跡が生じるといった問題もあった。
【０００４】
このため、袖瓦の垂れ部と破風板との間に生じる隙間を覆い隠す被覆部材を設けたり、例えば特許文献１にも開示されているように、袖瓦の垂れ部からの雨垂れを受ける樋部材を設けるといった対策が提案されている。
【先行技術文献】
【特許文献】
【０００５】
【特許文献１】特開２００７−２２４６３０号公報
【発明の概要】
【発明が解決しようとする課題】
【０００６】
しかしながら、従来の対策においては、被覆部材や樋部材といった専用の部材を必要とすることから、けらば部分の施工が煩雑になったり、これら専用の部材を設けることによって、破風の意匠性が悪くなるといった不具合があり、改良の余地があった。
【０００７】
そこで、この発明は、上記の不具合を解消して、切妻屋根の破風板に取り付ける破風化粧材を有効利用して、けらば部分の美観向上を図るとともに、けらば部分の下方への雨水の滴下を防止することを目的とする。
【課題を解決するための手段】
【０００８】
この発明の破風化粧材５０は、けらば部分に袖瓦４１・・を葺設してなる切妻屋根の破風板３０に取り付けられ、前記袖瓦４１・・の垂れ部４４・・と前記破風板３０との間に生じる隙間６１・・を下方から見えないように覆い隠すとともに、前記袖瓦４１・・の垂れ部４４・・からの雨垂れを受けて軒樋６２へ導く樋部６０が形成されているものであって、前記破風板３０の外側面に被さるようにして配される基片５１と、この基片５１から外側方へ張り出して、前記袖瓦４１・・の垂れ部４４・・の下方に配される上側張出片５２と、この上側張出片５２の先端部分から上方へ立ち上がった立ち上がり片５３と、前記上側張出片５２に対して平行になるように、前記基片５１から外側方へ張り出した下側張出片５４とを備え、前記樋部６０は、前記基片５１の前記上側張出片５２よりも上方へ突出した上端部分５１ａと、前記上側張出片５２と、前記立ち上がり片５３とによって構成されていることを特徴とする。
【００１０】
また、前記上側張出片５２が前記下側張出片５４の雨よけとなるように、前記下側張出片５４の張出量が前記上側張出片５２の張出量よりも小とされている。さらに、前記基片５１における前記上側張出片５２と下側張出片５４との間の中間部分に、前記上側張出片５２及び下側張出片５４に対して平行な複数の補強リブ５５・・が形成されている。さらにまた、前記基片５１の上端部分５１ａが、前記袖瓦４１・・の垂れ部４４・・の内側において前記破風板３０の外側面にビス５７止めされている。
【００１１】
この発明の切妻屋根のけらば構造は、上記の破風化粧材５０を、破風板３０に取り付けている。そして、前記破風板３０に、前記破風化粧材５０の樋部６０から屋根内部への雨水の侵入を阻止する水返し部３５が設けられている。また、前記破風板３０に、前記破風化粧材５０を係止する係止部３８が設けられている。
【発明の効果】
【００１２】
この発明によれば、切妻屋根の破風板に取り付ける破風化粧材を有効利用して、この破風化粧材に形成した樋部によって、袖瓦の垂れ部と破風板との間に生じる隙間を覆い隠すとともに、袖瓦の垂れ部からの雨垂れを受けて軒樋へ導くようにしている。すなわち、破風化粧材に、破風の意匠性向上といった本来の機能に加えて、被覆部材及び樋部材としての機能を併せ持たせるようにしている。これにより、専用の部材を別途設けずに済み、けらば部分の施工を煩雑にすることなく、しかも破風の意匠性を高めながら、下方から見上げたときのけらば部分の美観を向上し、けらば部分の下方への雨水の滴下を防止することができる。
【００１３】
また、破風化粧材は、その基片から上下の張出片が外側方へ互いに平行に張り出したシンプル且つデザイン性に優れた形状でありながらも、その基片の上端部分、上側張出片及び立ち上がり片を利用して、樋部が効果的に形成されている。さらに、上側張出片が下側張出片の雨よけとなっているので、下側張出片への雨がかりを軽減して、下側張出片周りの雨汚れを抑えることができ、破風化粧材の見栄えを良好に維持することができる。
【００１４】
また、基片に形成した補強リブによって、破風化粧材の強度を高めることができ、しかも破風化粧材の外側面に補強リブによる屋根傾斜方向に沿った筋状模様が表れることになって、デザイン性をより一層高めることができる。さらにまた、基片の上端部分を、袖瓦の垂れ部の内側において破風板の外側面にビス止めすることによって、このビス止め部分を、袖瓦の垂れ部及び上側張出片によって覆い隠して外部から見え難くして、見栄えを良好にすることができる。しかも、袖瓦を取り外すだけで、ビス止め部分を露出させて、破風化粧材を取り外すことができることから、破風化粧材の交換作業も簡単に行うことができる。
【００１５】
また、破風化粧材を取り付ける破風板において、樋部から屋根内部への雨水の侵入を阻止する水返し部を設けることで、樋部を流れる雨水を屋根内部へ溢れ出させることなく軒樋へ確実に導くことができる。さらに、破風板の係止部に破風化粧材を係止することによって、破風化粧材のビス止め等による取付作業を、破風化粧材を位置決めしながら簡単且つ安定して行うことができる。
【図面の簡単な説明】
【００１６】
【図１】この発明の一実施形態に係る切妻屋根のけらば構造を示す縦断面図である。
【図２】切妻屋根全体を妻面側から見た図である。
【図３】切妻屋根のけらば部分の軒側端部を示す斜視図である。
【図４】破風カバー材の斜視図である。
【図５】袖瓦の斜視図である。
【図６】破風化粧材の斜視図である。
【図７】他の実施形態に係る切妻屋根のけらば構造を示す縦断面図である。
【図８】従来の切妻屋根のけらば構造を示す縦断面図である。
【図９】切妻屋根全体を妻面側から見た図である。
【発明を実施するための形態】
【００１７】
以下、この発明の実施形態を図面に基づいて詳細に説明する。図１乃至図３は、この発明の一実施形態に係る切妻屋根のけらば構造を示している。図１において、２０は、屋根傾斜方向に適宜間隔をあけて配された母屋であって、この母屋２０の上面には、野地板２１、防水シートからなるアスファルトルーフィング２２、及び瓦桟２３が順次敷設され、また母屋２０の下面には、野縁２５を介して軒裏サイディング材２６が取り付けられている。
【００１８】
３０は、切妻屋根のけらば部分に設けられた破風板である。この破風板３０は、母屋２０の外端面に取り付けられて屋根傾斜方向に沿って配された例えば木製の破風下地材３１と、この破風下地材３１を外側から覆うようにして、破風下地材３１に取り付けられた例えば金属製の押出成形品からなる破風カバー材３２とによって構成されている。破風下地材３１の上端部分には、その内側面側においてＬ型の切欠部３１ａが形成されており、この切欠部３１ａに、野地板２１の端部が嵌り込んでいる。さらに、破風下地材３１の上端面には、アスファルトルーフィング２２の端部及びけらば捨て水切材２４の端部が覆い被さっている。
【００１９】
破風カバー材３２は、図１及び図４に示すように、破風下地材３１の外側面に被さるように配されて、その上端部分が破風下地材３１の上端部分の外側面にビス３３止めされた固定片３４と、この固定片３４の上端付近から外側方へ張り出した水返し部としての水返し片３５と、固定片３４の破風下地材３１よりも下方へ突出した下端付近から内側方へ張り出して、野縁２５と軒裏サイディング材２６との間から外側方へ突出した突片３９に重合された接続片３６と、この接続片３６よりも下方において固定片３４の下端部分から内側方へ張り出して、固定片３４と軒裏サイディング材２６との間の隙間を塞ぐ底片３７とを一体的に備えている。固定片３４と底片３７との連結部分には、係止部としての下向き開放の係止溝３８が形成されている。また、水返し片３５の先端部分は下向きに折曲されて、底片３７の先端部分は上向きに折曲されている。
【００２０】
４０は、切妻屋根のけらば部分以外に葺設された波型瓦であり、４１は、切妻屋根のけらば部分に葺設された波型瓦仕様の袖瓦であり、これら波型瓦４０及び袖瓦４１としては、防水性、耐久性及び耐候性に優れたいぶし瓦が用いられている。
【００２１】
袖瓦４１は、図５に示すように、下方にやや湾曲した略長方形状の本体部４２と、この本体部４２の屋根傾斜方向に沿った内側端部から内側方に突出した係合部４３と、本体部４２の屋根傾斜方向に沿った外側端部から垂下した垂れ部４４とを一体的に備えている。
【００２２】
そして、袖瓦４１・・は、図１乃至図３に示すように、破風板３０の上端部分を覆うようにして、軒側の袖瓦４１の棟側端部（本体部４２及び垂れ部４４の後端部）へ棟側の袖瓦４１の軒側端部（本体部４２及び垂れ部４４の前端部）を被せながら、屋根傾斜方向に沿って葺設されている。なお、袖瓦４１・・の係合部４３・・には、波型瓦４０・・の屋根傾斜方向に沿った外側端部が被さっている。
【００２３】
５０は、破風板３０に取り付けられた例えば金属製の押出成形品からなる破風化粧材である。この破風化粧材５０は、図１及び図６に示すように、破風板３０の外側面（破風カバー材３２の外側面）に被さるようにして配された基片５１と、この基片５１から外側方へ張り出して、袖瓦４１・・の垂れ部４４・・の下方に配された上側張出片５２と、この上側張出片５２の先端部分から上方へ立ち上がった立ち上がり片５３と、上側張出片５２に対して平行になるように、基片５１から外側方へ張り出した下側張出片５４とを一体的に備えている。
【００２４】
基片５１における上側張出片５２と下側張出片５４との間の中間部分には、上側張出片５２及び下側張出片５４に対して平行な複数の補強リブ５５・・が形成されている。これにより、破風化粧材５０の強度を高め、しかも破風化粧材５０の外側面に、羽根状に突出した上下の張出片５２、５４をアクセントとして、補強リブ５５・・による屋根傾斜方向に沿った筋状模様が表れることになって、破風部分に歯切れの良いシャープな印象を与えて、その意匠性を高めている。
【００２５】
また、基片５１と下側張出片５４との連結部分には、上向きの係止突起５６が形成されている。この係止突起５６を、破風カバー材３２の係止溝３８に係止させながら、基片５１の上側張出片５２よりも上方へ突出した上端部分５１ａを、袖瓦４１・・の垂れ部４４・・の内側において破風板３０の外側面にビス５７止めすることによって、破風化粧材５０が破風板３０に取り付けられている。これにより、破風化粧材５０を位置決めしながら簡単且つ安定して取り付けることができ、しかも破風化粧材５０のビス５７止め部分を、袖瓦４１・・の垂れ部４４・・及び上側張出片５２によって覆い隠して外部から見え難くして、見栄えを良好にしている。
【００２６】
そして、この破風化粧材５０においては、基片５１の上側張出片５２よりも上方へ突出した上端部分５１ａと、上側張出片５２と、立ち上がり片５３とによって、上向き溝状の樋部６０が構成されている。この樋部６０は、袖瓦４１・・の垂れ部４４・・の内側面と破風板３０の外側面（破風カバー材３２の外側面）との間に生じる隙間６１・・を下方から見えないように覆い隠すとともに、袖瓦４１・・の垂れ部４４・・からの雨垂れを受けるようになっている。
【００２７】
また、図３に示すように、樋部６０の開放状態の軒側端部が、切妻屋根の軒部分に沿って配された軒樋６２のけらば側端部の上方まで延長されていて、樋部６０によって集められた雨水が軒樋６２へ導かれるようになっている。
【００２８】
さらに、上側張出片５２が下側張出片５４の雨よけとなるように、下側張出片５４の張出量が上側張出片５２の張出量よりも小（具体的には、下側張出片５４の張出量が上側張出片５２の張出量の半分以下）となっており、これによって下側張出片５４への雨がかりを軽減して、破風化粧材５０における下側張出片５４周りの雨汚れを抑えるようにしている。
【００２９】
上記構成において、切妻屋根に降った雨水が袖瓦４１・・の垂れ部４４・・を伝って流れ落ちると、この雨垂れを破風化粧材５０の樋部６０によって受け止めて軒樋６２へ導くことができ、けらば部分の下方への雨水の滴下を防止することができる。しかも、破風カバー材３２の水返し片３５によって、樋部６０から屋根内部への雨水の侵入を阻止しているので、雨水を屋根内部へ溢れ出させることなく軒樋６２へ確実に導くことができる。
【００３０】
さらに、破風化粧材５０によって、破風部分の意匠性を高めながら、その樋部６０によって、下方から見上げたときに略三角形状に見える隙間６１・・を覆い隠しているので、下方から見上げたときのけらば部分の美観を向上することができる。
【００３１】
この発明は、上記実施形態に限定されるものではなく、この発明の範囲内で上記実施形態に多くの修正及び変更を加え得ることは勿論である。例えば、上記実施形態においては、けらば部分に波型瓦仕様の袖瓦４１・・を葺設した切妻屋根の破風板３０に破風化粧材５０を取り付けていたが、図７に示すように、けらば部分に平瓦仕様の袖瓦４１・・を葺設した切妻屋根の破風板３０に破風化粧材５０を取り付けるようにしても良い。
【符号の説明】
【００３２】
３０・・破風板、３５・・水返し部、３８・・係止部、４１・・袖瓦、４４・・垂れ部、５０・・破風化粧材、５１・・基片、５１ａ・・基片の上端部分、５２・・上側張出片、５３・・立ち上がり片、５４・・下側張出片、５５・・補強リブ、５７・・ビス、６０・・樋部、６１・・隙間、６２・・軒樋
【図１】
0005515993.tif 000002
【図２】
0005515993.tif 000003
【図３】
0005515993.tif 000004
【図４】
0005515993.tif 000005
【図５】
0005515993.tif 000006
【図６】
0005515993.tif 000007
【図７】
0005515993.tif 000008
【図８】
0005515993.tif 000009
【図９】
0005515993.tif 000010